(57)【要約】【課題】組立部材の寸法ばらつきにかかわらず器体の組立性を向上する。【解決手段】ボディ１０及びカバー２０の長手方向に沿った両側面における中央部及び両端部にそれぞれ嵌合部２ａ，３ａ，２ｂ，３ｂが突設される。合成樹脂製の組立部材５０は、長手方向の中央部及び両端部にそれぞれ嵌合孔５１ａ，５１ｂが設けられる。ボディ１０とカバー２０を開口面側で突き合わせた状態で嵌合孔５１ａ，５１ｂに嵌合部２ａ…を嵌合することで器体１が組み立てられる。両端部の嵌合孔５１ｂと嵌合部２ｂ，３ｂとの間に生じる隙間Ｇ２が中央部の嵌合孔５１ａと嵌合部２ａ，３ａとの間に生じる隙間Ｇ２よりも大きい寸法となるように両端部の嵌合孔５１ｂが形成されている。よって、組立部材５０の寸法ばらつきを両端部の嵌合孔５１ｂと嵌合部２ｂ，３ｂとの隙間Ｇ２で吸収することができ、組立部材５０の寸法ばらつきにかかわらず器体１の組立性が向上できる。【選択図】        図１
2005011716.tif 000002
【特許請求の範囲】
【請求項１】
施工面に固定される取付部材に形成された矩形状の開口窓内に前端部が挿入された形で取付部材に保持され後端部が施工面に埋め込まれた形で設置される合成樹脂製の器体と、取付部材に単位ピッチで形成された保持部に結合される取付部とを備え、前記器体は、後端側のボディと前記開口窓を通して少なくとも一部が前方に露出する前端側のカバーとからなり、ボディとカバーとの双方に設けた嵌合部と凹凸嵌合する合成樹脂製の組立部材によりボディとカバーとが結合される配線器具において、前記器体は、３組の保持部を有する取付部材に３個まで取り付けることができる１個単位寸法の器体の２又は３個分である２個又は３個単位寸法に形成されるとともに長手方向に沿った両外側面の略中央部並びに両端部にそれぞれ嵌合部が突設され、前記組立部材は、器体の略中央部の嵌合部と凹凸嵌合する嵌合孔が長手方向の略中央部に設けられ、器体の両端部の嵌合部と凹凸嵌合する嵌合孔が長手方向両端部に設けられるとともに、該両端部の嵌合孔と嵌合部との間に生じる隙間が略中央部の嵌合孔と嵌合部との間に生じる隙間よりも大きい寸法に両端部の嵌合孔が形成されたことを特徴とする配線器具。
【請求項２】
前記組立部材の両端部に取付部が設けられたことを特徴とする請求項１記載の配線器具。
【発明の詳細な説明】
【０００１】
【発明の属する技術分野】
本発明は、壁面のような施工面に一部を埋め込んだ形で施工されるスイッチやコンセントなどの配線器具に関するものである。
【０００２】
【従来の技術】
従来、合成樹脂成型品のボディとカバーを、同じく合成樹脂製の組立部材を用いて結合することにより器体を形成した配線器具が提供されていた（特許文献１参照）。
【０００３】
図４及び図５は特許文献１に記載されている配線器具（コンセント）を示している。このコンセントは、平行平型栓刃を有する所謂Ａタイプのプラグと平行ピン型栓刃を有する所謂ＢＳタイプのプラグの双方が接続可能なタイプ（所謂ユニバーサルタイプ）の差込部２４を、後述する３個単位寸法の器体１に２組備えるものである。ボディ１０の内部には仕切壁１６を介して３個の収納室１７ａ〜１７ｃが形成され、接地極の刃受部材９０が収納される収納室１７ｃは器体１の長手方向に沿った細長形状であって中間部に括れ部１７ｄが形成されている。また、他の２個の収納室１７ａ，１７ｂにはそれぞれ刃受部材８０が収納されるのであって、収納室１７を３分するように中間部の２箇所にそれぞれスリット１６ａを有する仕切壁１６ｂが形成される。
【０００４】
刃受部材８０は、互いに対向する一対のばね片８１と、両ばね片８１の一方の側面に対向するばね片８２と、ばね片８１，８２を連続一体に結合するコ字状の連結片８３とからなる刃受８８を２組備え、両連結片８３の間を橋絡片８４を介して結合し、橋絡片８４の中間部に橋絡片８４とともに後側に開放されたコ字状となる端子片８５を備える形状に耐熱銅製の板金によって連続一体に形成されている。橋絡片８４の後縁には突脚８４ａが突設されている。
【０００５】
一方、刃受部材９０は接地極用であって、互いに対向する各一対のばね片９１を備えた刃受９８を２組備え、一方の刃受９８のばね片９１の側方には後側が開放されたコ字状の連結片９３が連続一体に形成され、連結片９３の各脚片の後部には連結片９３の各脚片を切り開いて形成した各一対の端子片９５が連続一体に形成されている。また、他方の刃受９８の一対のばね片９１同士は後縁間がつなぎ片により連続一体に連結されている。さらに、連結片９３の一方の脚片と上記他方の刃受９８のばね片９１との間は橋絡片９４を介して連続一体に結合されている。
【０００６】
カバー２０の前面には、電圧極の栓刃が挿入される一対の挿入口２５と接地極の栓刃が挿入される挿入口２６とからなる差込部２４が長手方向に並設されており、各挿入口２５に挿入された電圧極の栓刃を刃受８８で受けるとともに、挿入口２６に挿入された接地極の栓刃を刃受９８で受けるようになっている。
【０００７】
ボディ１０並びにカバー２０の長手方向に沿った両外側面には各一対の嵌合部２，３がそれぞれ長手方向両端部に１組ずつ並べて突設されている。そして、各一対の嵌合部２，３に各々嵌合する一対の嵌合孔５１’を有する合成樹脂製の組立部材５０’によりボディ１０とカバー２０が結合されて器体１が組み立てられる。
【０００８】
上述の器体１は取付部材たるプレート１００に取り付けられるものであって、組立部材５０’の前面側両端部にはプレート１００に結合するために各一対の取付爪５４’が突設されている。
【０００９】
上述した構成のコンセントを施工するには、図６及び図７に示すプレート１００を用いる。プレート１００は、器体１を保持するプレート枠１１０と、プレート枠１１０を覆って見栄えよく施工する化粧プレート１２０とからなる。合成樹脂製のプレート枠１１０は絶縁性を有し、一対の枠片１１３ａ，１１３ｂの左端部同士および右端部同士をそれぞれ横片１１２で連続一体に結合することによって、器体１の前面を露出させる長方形状の開口窓１１１を中央部に備えた縦長の矩形枠状に形成されている。開口窓１１１の長手方向に沿った両側縁の後面側にはそれぞれ帯板状の固定梁部１１４と可動梁部１１５とが互いに対向する形で設けてある。
【００１０】
可動梁部１１５は、長手方向の両端部で可動梁部１１５の長手方向に延長された連結部１１６を介して枠片１１３ｂに連続一体に連結され、中間部の２箇所が可動梁部１１５に直交する方向のブリッジ部１１７を介して枠片１１３ｂに連続一体に連結されている。また、各連結部１１６と各ブリッジ部１１７との間および両ブリッジ部１１７の間の部位は表裏に貫通するスリット１１８ａ〜１１８ｃとなっている。プレート枠１１０を形成する合成樹脂は可撓性を有し、可動梁部１１５および連結部１１６が可撓になっている。両側のスリット１１８ａ，１１８ｃはＬ字形に形成され、中間部のスリット１１８ｂは一直線上に形成されている。枠片１１３ｂにおいて各ブリッジ部１１７の近傍には、ブリッジ部１１７に対応する部位でも可動梁部１１５が可撓となるように、表裏に貫通する長孔状の溝１１９をそれぞれ設けてある。
【００１１】
一方、固定梁部１１４および可動梁部１１５において開口窓１１１に臨む一面には、組立部材５０’に各一対ずつ突設された取付爪５４と凹凸係合する保持部としての６個の保持溝１１４ａ，１１５ａ（図８参照）が等ピッチで設けられる。したがって、器体１に設けた取付爪５４を各保持溝１１４ａ，１１５ａに凹凸係合させると、器体１の前面を開口窓１１１から露出させた形でプレート枠１１０に器体１を取着することができる。また、器体１がプレート枠１１０から前方に抜け落ちないように、固定梁部１１４及び可動梁部１１５の基部には組立部材５０’に設けられた突部５３の前面に当接する当接部１１４ｄ，１１５ｄが形成されている。つまり、突部５３の前面が当接部１１４ｄ，１１５ｄ（図８参照）に当接し、取付爪５４の後面が保持溝１１４ａ，１１５ａに係止されることによって、器体１がプレート枠１１０に取着される。
【００１２】
ここで、固定梁部１１４と可動梁部１１５との開口窓１１１に臨む一面における各先端部分には、器体１の取付爪５４をプレート枠１１０の後面側から保持溝１１４ａ，１１５ａに導入する際に、各取付爪５４を保持溝１１４ａ，１１５ａに誘導するために、先端側ほど互いの距離を広げるように傾斜した傾斜面となった誘導部１１４ｂ，１１５ｂが設けてある。すなわち、図８（ａ）〜（ｃ）に示すようにプレート枠１１０に器体１を取り付けるには、器体１の一側面に嵌合した組立部材５０’の取付爪５４を固定梁部１１４の保持溝１１４ａに係合させておき、器体１の前端部を開口窓１１１にほぼ一致させて器体１をプレート枠１１０に対して前方に押し込むと、器体１の他側面に嵌合した組立部材５０’の取付爪５４が可動梁部１１５を撓ませながら傾斜面５４ａと誘導部１１５ｂとによって保持溝１１５ａに追い込まれ、取付爪５４を保持溝１１５ａに容易に係合させることができる。
【００１３】
一方、固定梁部１１４の基部には隣接する各一対の保持溝１１４ａの間でプレート枠１１０の表裏に貫通する器具外し孔１１４ｃが穿設してあって、器体１をプレート枠１１０に取着した状態で、ドライバや取外し専用の治具等の先端部分を器具外し孔１１４ｃに挿入し、治具の先端部分で器体１を可動梁部１１５側へ押すと梃子の原理によってわずかな力で可動梁部１１５を撓ませることができ、固定梁部１１４側の保持溝１１４ａと器体１の取付爪５４との係合状態を解除してプレート枠１１０から器体１を取り外すことができるようになっている。
【００１４】
ここで、上述したようにプレート枠１１０は固定梁部１１４と可動梁部１１５とにそれぞれ３対の保持溝１１４ａ，１１５ａを有しており、各一対の保持溝１１４ａ，１１５ａに組立部材５０’の一対の取付爪５４を係合させることができるから、上記器体１を長手方向に３等分した寸法の器体を最大３個まで取り付けることが可能である。つまり、プレート枠１１０は３個用であって、３個用のプレート枠１１０に最大３個まで取り付けることができるように取付寸法を設定した器体を１個単位寸法とすれば、上述の器体１は３個単位寸法ということになる。
【００１５】
【特許文献１】
特開２００２−８７６６号公報（段落０１０２−０１０８、図５０）
【００１６】
【発明が解決しようとする課題】
上記従来例では、器体１が３個単位寸法に形成されているため、ボディ１０及びカバー２０の長手方向両端部に嵌合部２，３を突設し、それぞれの嵌合部２，３に嵌合してボディ１０とカバー２０を結合する組立部材５０’が合計４個使用されていた。
【００１７】
これに対して、図９に示すようにボディ１０とカバー２０の両外側面における長手方向中央部に嵌合部２，３をそれぞれ突設し、片側１個ずつの合計２個の組立部材５０’によってボディ１０とカバー２０を結合する構造とし、組立部材５０’の使用個数を減らすことで組立性を向上させたコンセントも提案されている。しかしながら、このように長手方向中央部のみでボディ１０とカバー２０を組立部材５０’により結合する構造では、ボディ１０とカバー２０の結合強度が充分に得られないという問題や、プレート枠１１０への取付箇所が器体１の長手方向中央部のみとなり、プレート枠１１０に対して器体１ががたつきやすくなってしまうという問題がある。後者の問題に対しては、図１０に示すようにカバー２０に取付爪２２を設けることで対応可能であるが、この構造においても前者の問題の対応、すなわちボディ１０とカバー２０の充分な結合強度を得ることはできない。
【００１８】
一方、特許文献１には長手方向両側の２個の組立部材５０’を連結部で連結して一体とした組立部材を用いたものが記載されている。しかしながら、連結部の寸法ばらつきによって組立部材の嵌合孔とボディ１０及びカバー２０の嵌合部２，３とが嵌合できない場合があり、組立性にやや難があった。
【００１９】
本発明は上記事情に鑑みて為されたものであり、その目的は、組立部材の寸法ばらつきにかかわらず器体の組立性が向上できる配線器具を提供することにある。
【００２０】
【課題を解決するための手段】
請求項１の発明は、上記目的を達成するために、施工面に固定される取付部材に形成された矩形状の開口窓内に前端部が挿入された形で取付部材に保持され後端部が施工面に埋め込まれた形で設置される合成樹脂製の器体と、取付部材に単位ピッチで形成された保持部に結合される取付部とを備え、前記器体は、後端側のボディと前記開口窓を通して少なくとも一部が前方に露出する前端側のカバーとからなり、ボディとカバーとの双方に設けた嵌合部と凹凸嵌合する合成樹脂製の組立部材によりボディとカバーとが結合される配線器具において、前記器体は、３組の保持部を有する取付部材に３個まで取り付けることができる１個単位寸法の器体の２又は３個分である２個又は３個単位寸法に形成されるとともに長手方向に沿った両外側面の略中央部並びに両端部にそれぞれ嵌合部が突設され、前記組立部材は、器体の略中央部の嵌合部と凹凸嵌合する嵌合孔が長手方向の略中央部に設けられ、器体の両端部の嵌合部と凹凸嵌合する嵌合孔が長手方向両端部に設けられるとともに、該両端部の嵌合孔と嵌合部との間に生じる隙間が略中央部の嵌合孔と嵌合部との間に生じる隙間よりも大きい寸法に両端部の嵌合孔が形成されたことを特徴とする。
【００２１】
この発明によれば、ボディ及びカバー双方の長手方向略中央部並びに両端部にそれぞれ突設されている嵌合部が組立部材の嵌合孔に凹凸嵌合することでボディとカバーが結合されるためにボディとカバーの充分な結合強度が得られ、しかも、両端部の嵌合孔と嵌合部との間に生じる隙間が略中央部の嵌合孔と嵌合部との間に生じる隙間よりも大きい寸法に両端部の嵌合孔が形成されているから、組立部材の寸法ばらつきを両端部の嵌合孔と嵌合部との隙間で吸収することができ、組立部材の寸法ばらつきにかかわらず器体の組立性が向上できる。
【００２２】
請求項２の発明は、請求項１の発明において、前記組立部材の両端部に取付部が設けられたことを特徴とする。
【００２３】
この発明によれば、取付部材に対する器体のがたつきを抑えることができる。
【００２４】
【発明の実施の形態】
図１〜図３を参照して本発明をコンセントに適用した実施形態について詳細に説明する。但し、本実施形態の基本的な構成は従来例と共通であるから、少なくとも同一の機能を有する構成要素には同一の符号を付して説明を適宜省略する。
【００２５】
本実施形態のコンセントは、図１及び図２に示すように従来例と同じユニバーサルタイプの差込部２４と、所謂Ｏ（オウ）タイプの接地極付きプラグが接続される差込部２４’とを３個単位寸法の器体１に備えている。Ｏタイプの差込部２４’は接地極を含む３つの平型栓刃が挿入される３個の平型栓刃挿入口２５ａ’，２５ａ’，２５ｂ’を有し、接地極の平型栓刃が挿入される平型栓刃挿入口２５ｂ’の両側に電圧極の２つの平型栓刃挿入口２５ａ’，２５ａ’が逆ハ字形に配置されている。
【００２６】
図１及び図３に示すように、ボディ１０の略中央には底部より立設された周壁１１により四方を囲まれ、後述するＯタイプの接地極用の刃受部材３０Ｃが収納される凹部１２と、この凹部１２の周りに底部より立設された隔壁１３で仕切られ、ユニバーサルタイプの刃受３１Ａ及びＯタイプの電圧極用の刃受３１Ｂが収納される合計４つの収納凹所１４と、端子部４０が収納される２つの収納凹所１５，１５とが設けてある。なお、ボディ１０の底部には凹部１２及び端子部４０が収納される収納凹所１５と連通する電線挿入口（図示せず）と、凹部１２と連通する電線挿入口（図示せず）とが開口されている。
【００２７】
端子部４０は、電線と接続される端子片４１と、この端子片４１に電線を圧接接続する鎖錠ばね１９と、端子片４１と電線との接続を外すために鎖錠ばね１９を圧接解除方向に撓ませる解除釦１８とを具備した速結端子構造を有している。ここで、本実施形態においては、端子部４０の端子片４１と、２種類の刃受３１Ａ，３１Ｂとを１枚の金属板を折曲することにより一体に形成して刃受部材３０Ａ，３０Ｂを構成している。なお、２つの刃受部材３０Ａ，３０Ｂは面対称に形成されており、互いに鏡像の関係にあるから、一方の刃受部材３０Ａについてのみ説明する。
【００２８】
金属板を折曲して形成される刃受部材３０Ａは平板状の基部４２を有し、この基部４２の中央部より一対の端子片４１が突設されるとともに、その両側に２種類の刃受３１Ａ，３１Ｂが設けてある。この基部４２の中央部には、先端部が二股に分割されてなる当接片４３ａ，４３ａを有するＬ形片４３が、端子片４１，４１に対して反対側に突設されている。そして、互いに対向する端子片４１，４１と当接片４３ａ，４３ａの間にそれぞれ鎖錠ばね１９，１９が配置され、鎖錠ばね１９に設けた鎖錠片１９ａ及び接触片１９ｂが端子片４１に対向させてある。
【００２９】
鎖錠ばね１９は、弾性を有する導電材料の帯板の両端部を曲成して中央片１９ｃの両端部に鎖錠片１９ａ及び接触片１９ｂが形成されてなる。鎖錠片１９ａは中央片１９ｃとの連結部位から先端縁に向かって端子片４１に近づく向きに傾斜し、接触片１９ｂは略Ｓ字形に曲成されている。また、中央片１９ｃは略平板状に形成されていて当接片４３ａに当接する。而して、鎖錠ばね１９の鎖錠片１９ａ及び接触片１９ｂと刃受部材３０Ａの端子片４１との間にボディ１０の電線挿入孔を通して電線が挿入されると、鎖錠片１９ａの先端が電線に食い込んで抜け止めがなされるとともに、鎖錠片１９ａ及び接触片１９ｂによって電線が端子片４１に圧接されることにより、電線と端子片４１との導通（接続）が図られる。なお、刃受部材３０Ａの端子部４０に対応する解除釦１８は、収納凹所１５内でボディ１０の底面に対して略平行にスライド移動自在に一対の鎖錠ばね１９，１９の間に配置されており、ボディ１０の底部に設けられる解除釦操作孔（図示せず）を通してドライバ等の治具により操作されてスライド移動させることにより、鎖錠ばね１９の鎖錠片１９ａを圧接解除方向に撓ませ、鎖錠片１９ａの先端を電線から引き離して端子片４１と電線との接続を解除するものである。
【００３０】
ユニバーサルタイプの刃受３１Ａは従来例における刃受８８とほぼ共通の構造を有しており、基部４２の一端部より突設され、互いに対向する先端部にて栓刃を挟持する一対の刃受ばね３２と、一対の刃受ばね３２の側端間を結ぶ線よりも刃受ばね３２と離れた位置において前方に突設された刃受ばね３３とを有している。またＯタイプの電圧極用の刃受３１Ｂは、互いに対向する先端部にて栓刃を挟持する一対の刃受ばね３２が基部４２の他端部より突設されて構成される。
【００３１】
一方、Ｏタイプの接地極用の刃受部材３０Ｃは、接地極用の刃受３１Ｃと、接地極用の端子部４０’とが板状の金属部材を折曲することにより一体に形成されており、ボディ１０の略中央に形成された凹部１２に収納される。この刃受３１Ｃは、平型栓刃挿入口２５ｂ’に挿入される接地極の栓刃に接触導通する一対の刃受ばね３２を備えている。また、端子部４０’は端子片４３ａ’及び当接片４３ｂ’を備えて鎖錠ばね１９並びに解除釦１８とともに速結端子を構成している。なお、刃受３１Ｃ並びに端子部４０’の構造はユニバーサルタイプの刃受３１Ａ並びに端子部４０の構造とほぼ共通であるので、詳しい説明は省略する。
【００３２】
上述のように構成される刃受部材３０Ａ，３０Ｂは、ボディ１０の四隅に設けられた収納凹所１４に各々刃受３１Ａ、刃受３１Ｂを収納するようにしてボディ１０に取り付けられる。なお、収納凹所１４，１５を仕切る隔壁１３には刃受部材３０Ａ，３０Ｂの基部４２が挿通されるスリット１３ａが設けてある。また、刃受部材３０Ｃがボディ１０略中央の凹部１２に収納するようにしてボディ１０に取り付けられる。そして、後述するように組立部材５０を用いてボディ１０の開口側からカバー２０が結合されて器体１が構成されると、各刃受３１Ａとカバー２０の前面に設けられたユニバーサルタイプの差込部２４の挿入口２５とが対向するとともに、刃受３１ＢとＯタイプの差込部２４’の挿入口２５ａ’，２５ｂ’とが対向することになる。
【００３３】
ここで本実施形態においては、ユニバーサルタイプの差込部２４を構成する挿入口２５，２５を開閉自在に閉塞する第１の扉６０と、Ｏタイプの差込部２４’を構成する挿入口２５ａ’，２５ｂ’を開閉自在に閉塞する第２の扉６３と、ボディ１０とカバー２０の間に配設され、第１及び第２の扉６０，６３をカバー２０の内側に収納するようにしてスライド移動自在に支持する中枠７０とを備えている。
【００３４】
第１の扉６０は、組み込み時に中枠７０に対向する背面側略中央に突条形のスライド片（図示せず）が突設され、且つスライド片の左右両側にスライド片よりも高さ寸法の低い（突出量の少ない）支持片（図示せず）がスライド片と略平行に突設されるとともに、表面側にコイルばね４５の一端部が収納される収納部６１ｃ、この収納部６１ｃ内に突設されてコイルばね４５が係止される係止部６１ｄを有する主部６１と、主部６１の両側に突設され挿入口２５をカバー２０の内側で閉塞する閉塞部６２とを備えている。
【００３５】
閉塞部６２の表面には主部６１に近い側に第１の傾斜面６２ａが形成され、その外側に第２の傾斜面６２ｂが形成されている。これら２つの傾斜面６２ａ，６２ｂは収納部６１ｃの開口面側から前方に向けて傾斜しており、両者の間には段差が設けられて第１の傾斜面６２ａよりも第２の傾斜面６２ｂが前方へ突出している。なお、第１の傾斜面６２ａの先端部には主部６１の背面と略平行な平行面６２ｃが形成してある。そして、この第１の扉６０は、カバー２０の背面に形成されているばね受け突起（図示せず）にコイルばね４５の自由端を当接させた状態でカバー２０に取り付けられる。
【００３６】
第２の扉６３は、接地極用の挿入口２５ｂ’から挿入される接地極の栓刃のための挿通孔６４を有するとともに、一端側に傾斜面６５が形成され且つ両側に傾斜辺が形成されている他端側にばね受け突起６６が立ち上げられている。また、第２の扉６３の背面側で上記傾斜面６５が設けられた部分の裏側となるところには、補強用突部６８が設けられ、他端側にはガイド溝６９が設けてある。そして、この第２の扉６３は、カバー２０の背面に形成されているリブ（図示せず）に傾斜面６５の部分やばね受け突起６６の部分をスライド移動自在に係合させるとともに、ばね受け突起６６とカバー２０側のばね受け（図示せず）との間にコイルばね４６が配置された状態でカバー２０に取り付けられる。この時、第２の扉６３の一対の傾斜辺が逆ハ字形に並ぶ挿入口２５ａ’，２５ａ’と略平行となるようにしてあるとともに、上記コイルばね４６による弾性付勢でカバー２０の背面に形成された傾斜壁（図示せず）に傾斜辺が当接することで、挿入口２５ａ’，２５ａ’が第２の扉６３で閉塞された状態となる。
【００３７】
一方、中枠７０は合成樹脂製であって矩形の主部７０ａを有する。この主部７０ａには、中央から一端側にかけてＯタイプの差込部２４’を構成する３つの挿入口２５ａ’，２５ａ’，２５ｂ’に対応する位置に３つの栓刃挿通孔７１が、設けられるとともに、他端側にはユニバーサルタイプの差込部２４を構成する挿入口２５，２５に対応する位置に２つの栓刃挿通孔７１が設けられる。また、カバー２０の背面と対向する主部７０ａの表面には、第２の扉６３の補強用突部６８がスライド移動自在に係合するスライドガイド溝７５が、接地極の栓刃に対応して略中央に設けられた栓刃挿通孔７１の周囲に凹設され、この栓刃挿通孔７１の端部近傍にコイルばね４６の浮きを抑えるための突部７３が突設されるとともに、第２の扉６３のガイド溝６９にスライド移動自在に係合する突条形のガイドリブ７２が突設されている。さらに主部７０ａの突出部７０ｂ側の両端部表面には、第２の扉６３の移動範囲を規制するストッパ７６が突設されている。
【００３８】
また、突出部７０ｂの表面には、第１の扉６０のスライド片６１ａがスライド移動自在に係合するスライド溝７４が、略平行に突設された一対の突条７４ａの間に形成されている。
【００３９】
而して、第１及び第２の扉６０，６３や中枠７０を組み付けたカバー２０を、刃受部材３０Ａ，３０Ｂ，３０Ｃを組み込んだボディ１０と結合すれば、ユニバーサルタイプの差込部２４を構成する挿入口２５，２５が第１の扉６０で閉塞されるとともにＯタイプの差込部２４’を構成する挿入口２５’が第２の扉６３で閉塞されることとなり、何れの差込部２４，２４’からも充電部の露出がないものとなる。
【００４０】
次に、各差込部２４，２４’にプラグを接続する際の扉６０，６３の動作について説明する。
【００４１】
まず、Ｏタイプの差込部２４’については、プラグの栓刃を挿入口２５’に挿入すればよく、この時、３極のうちの接地極の栓刃が第２の扉６３の傾斜面６５を押してコイルばね４６に抗して第２の扉６３をスライド移動させることにより、第２の扉６３によって閉塞されていた挿入口２５’が開かれ、栓刃が第２の扉６３の挿通孔６４と傾斜辺の側を通るとともに、中枠７０の栓刃挿通孔７１を通じて刃受部材３０Ａ，３０Ｂの刃受３１Ｂ及び刃受部材３０Ｃの刃受３１Ｃに接続される。
【００４２】
続いて、ユニバーサルタイプの差込部２４についても、プラグの栓刃を挿入口２５に挿入すればよく、接触子が平型栓刃の場合には挿入口２５の平型栓刃挿入口２５ａに挿入された平型栓刃が、第１の扉６０の第１の傾斜面６２ａを押してコイルばね４５に抗して第１の扉６０をスライド移動させることにより、第１の扉６０によって閉塞されていた挿入口２５が開かれ、平型栓刃が中枠７０の栓刃挿通孔７１を通って刃受部材３０Ａ，３０Ｂの刃受３１Ａに接続される。また、接触子がピン形栓刃の場合には挿入口２５のピン形栓刃挿入口２５ｂに挿入されたピン形栓刃が、第１の扉６０の第２の傾斜面６２ｂを押してコイルばね４５に抗して第１の扉６０をスライド移動させることにより、各挿入口２５が開かれ、ピン形栓刃が中枠７０の栓刃挿通孔７１を通って刃受部材３０Ａ，３０Ｂの刃受３１Ａに接続される。
【００４３】
最後に本発明の要旨である組立部材５０によるボディ１０とカバー２０の結合構造について説明する。
【００４４】
ボディ１０の長手方向に沿った両側面には、中央部において長手方向に並ぶ一対の嵌合部２ａと、両端部に各々１つずつの嵌合部２ｂとが突設されている。これらの嵌合部２ａ，２ｂはボディ１０の開口面よりも前方（図１における上方）に突出しており、中央部の一対の嵌合部２ａがボディ１０の開口端面上にて一体に連結されて略コ字型とり、両端の嵌合部２ｂが各々略Ｌ字形となっている。
【００４５】
一方、カバー２０の長手方向に沿った両側面には開口面よりも前方にくぼんだ凹所４が形成され、凹所４の中央部において長手方向に並ぶ一対の嵌合部３ａと、両端部に各々１つずつの嵌合部３ｂとが突設されている。これらの嵌合部３ａ，３ｂはカバー２０の凹所４底面よりも後方（図１における下方）に突出しており、中央部の一対の嵌合部３ａが凹所４の底面上にて一体に連結されて略コ字型とり、両端の嵌合部３ｂが各々略Ｌ字形となっている。そして、ボディ１０とカバー２０とが開口面側で突き合わされた状態でボディ１０側の嵌合部２ａ，２ｂとカバー２０側の嵌合部３ａ，３ｂとが前後方向に重なり合って当接する。尚、この状態で中央の嵌合部２ａ，３ａと両端の嵌合部２ｂ，３ｂとの間、並びに両端の嵌合部２ｂ，３ｂと凹所４の長手方向両端面との間には、それぞれ組立部材５０の係止脚５２が挿入される係止脚挿入口５が開口する。
【００４６】
組立部材５０は弾性を有する合成樹脂材料（例えば、ポリカーボネート樹脂）により薄い帯板状に形成され、中央部の一対の嵌合部２ａ，３ａとそれぞれ個別に嵌合する一対の嵌合孔５１ａが長手方向中央部に並設されるとともに、両端部の嵌合部２ｂ，３ｂとそれぞれ嵌合する嵌合孔５１ｂが長手方向両端部に設けられている。また、ボディ１０及びカバー２０の側面に対向する組立部材５０の背面側において係止脚挿入口５と対向する位置には、先端に係止爪５２ａを有する係止脚５２が背方へ突設されており、各係止爪５２ａはそれぞれ互いに向き合う方向、つまり嵌合部２ａ，３ａ，２ｂ，３ｂに近づく向きに突出している。また、組立部材５０の前端縁からは背方へ突出する突部５３が設けられており、カバー２０の長手方向に沿った両側面において嵌合部３ａ，３ｂの前方からカバー２０の短手方向外向きに突出する突台部２１に前方から突部５３が係合するようになっている。
【００４７】
一方、ボディ１０及びカバー２０の各嵌合部２ａ，２ｂ，３ａ，３ｂには、係止脚挿入口５に挿入された係止脚５２先端の係止爪５２ａが係合する係止溝６，７が形成されている。
【００４８】
而して、ボディ１０とカバー２０を開口面側で突き合わせた状態で係止脚５２を係止脚挿入口５に挿入するようにして組立部材５０を器体１の長手方向両側面の方へ押しつければ、中央の一対の嵌合部２ａ，３ａ及び両端の嵌合部２ｂ，３ｂがそれぞれ嵌合孔５１ａ，５１ｂと嵌合し、図２に示すようにボディ１０とカバー２０が結合されて器体１が組み立てられる。このようにボディ１０及びカバー２０双方の長手方向中央部並びに両端部にそれぞれ突設されている嵌合部２ａ，３ａ，２ｂ，３ｂが組立部材５０の嵌合孔５１ａ，５１ｂに凹凸嵌合することでボディ１０とカバー２０が結合されてボディ１０とカバー２０の充分な結合強度が得られるものである。なお、係止脚挿入口５に挿入された係止脚５２の係止爪５２ａが嵌合部２ａ，３ａ，…の係止溝６，７にそれぞれ係合されることによって、組立部材５０の嵌合部２ａ…からの脱落が防止できる。
【００４９】
また本実施形態においては、図３に示すように両端部の嵌合孔５１ｂと嵌合部２ｂ，３ｂとの間に生じる隙間Ｇ２が中央部の嵌合孔５１ａと嵌合部２ａ，３ａとの間に生じる隙間Ｇ２よりも大きい寸法、すなわち隙間Ｇ２の寸法をｇ２、隙間Ｇ１の寸法をｇ１としたときにｇ２＞ｇ１となるように両端部の嵌合孔５１ｂが形成されている。すなわち、中央部の嵌合部２ａ，３ａに嵌合孔５１ａを嵌合することで組立部材５０を器体１に位置決めした場合、組立部材５０の寸法ばらつきによって両端部の嵌合部２ｂ，３ｂと嵌合孔５１ｂが嵌合しなくなる虞があるが、組立部材５０の寸法ばらつきを両端部の嵌合孔５１ｂと嵌合部２ｂ，３ｂとの隙間Ｇ２で吸収することができるため、組立部材５０の寸法ばらつきにかかわらず器体１の組立性が向上できるものである。また、組立部材５０の両端部にはプレート枠１１０の保持溝１１４ａ，１１５ａに係合して器体１をプレート枠１１０に取り付けるための取付爪５４が突設されており、取付爪５４を組立部材５０の長手方向両端部に設けることでプレート枠１１０に対する器体１のがたつきを抑えることができる。
【００５０】
【発明の効果】
請求項１の発明によれば、ボディ及びカバー双方の長手方向略中央部並びに両端部にそれぞれ突設されている嵌合部が組立部材の嵌合孔に凹凸嵌合することでボディとカバーが結合されるためにボディとカバーの充分な結合強度が得られ、しかも、両端部の嵌合孔と嵌合部との間に生じる隙間が略中央部の嵌合孔と嵌合部との間に生じる隙間よりも大きい寸法に両端部の嵌合孔が形成されているから、組立部材の寸法ばらつきを両端部の嵌合孔と嵌合部との隙間で吸収することができ、組立部材の寸法ばらつきにかかわらず器体の組立性が向上できる。
【００５１】
請求項２の発明によれば、取付部材に対する器体のがたつきを抑えることができる。
【図面の簡単な説明】
【図１】本発明の実施形態を示す分解斜視図である。
【図２】同上を示す斜視図である。
【図３】同上の断面図である。
【図４】従来例を示す分解斜視図である。
【図５】同上を示し、（ａ）は正面図、（ｂ）は上面図である。
【図６】取付部材であるプレートを前方から見た分解斜視図である。
【図７】同上を後方から見た分解斜視図である。
【図８】同上のプレートに配線器具を取り付ける手順を説明する説明図である。
【図９】他の従来例を示す斜視図である。
【図１０】さらに他の従来例を示す斜視図である。
【符号の説明】
１  器体
２ａ，２ｂ  嵌合部
３ａ，３ｂ  嵌合部
１０  ボディ
２０  カバー
５０  組立部材
５１ａ，５１ｂ  嵌合孔
【図１】
2005011716.tif 000003
【図２】
2005011716.tif 000004
【図３】
2005011716.tif 000005
【図４】
2005011716.tif 000006
【図５】
2005011716.tif 000007
【図６】
2005011716.tif 000008
【図７】
2005011716.tif 000009
【図８】
2005011716.tif 000010
【図９】
2005011716.tif 000011
【図１０】
2005011716.tif 000012